(57)【要約】ユーザ装置（ＵＥ）は、スキャン設定情報に基づきデバイス間同期化ソースをスキャンするよう構成される。ＵＥは、デバイス間同期化ソースがスキャン設定情報の１つ以上の報告要件を満足するとの決定に応答して、発展型汎用地上無線アクセスネットワーク（Ｅ−ＵＴＲＡＮ）ノードＢ（ｅＮＢ）へデバイス間同期化ソースの検出を報告するよう構成される。ＵＥは、ＵＥを同期化ソースとして有効にするｅＮＢからの通信を受け、デバイス間同期化ソースを含む１つ以上の範囲内のＵＥへ同期化基準を提供する信号を送信するよう構成される。
2017511078.tif 000002
【特許請求の範囲】
【請求項１】
ユーザ装置であって
セル探索を実施し、第１のサービングするｅＮＢと同期し、該第１のｅＮＢに対応する第１のサービングセルにキャンプオンし、
前記第１のｅＮＢによって送信された専用のＤ２Ｄ構成情報メッセージ及びシステム情報メッセージのうちの１つ以上においてＤ２Ｄ同期化情報伝送に関連した情報を受信することで、該Ｄ２Ｄ同期化情報伝送に関連したＤ２Ｄ情報を取得し、
当該ユーザ装置のＲＲＣ状態に基づく１つ以上のトリガ条件に応答して、前記第１のｅＮＢのカバレッジ外にある１つ以上のＤ２Ｄユーザ装置へ同期化基準を提供するようＤ２Ｄ同期化情報を送信する
よう構成されるユーザ装置。
【請求項２】
当該ユーザ装置は、前記専用のＤ２Ｄ構成情報メッセージにおいて前記Ｄ２Ｄ同期化情報伝送に関連した情報を受信し、該Ｄ２Ｄ同期化情報伝送に関連した情報は、Ｄ２Ｄ同期化に利用可能なリソースに関する情報と、第１の閾値とを有し、
当該ユーザ装置は、前記第１のｅＮＢについての測定された信号品質又は信号強度が前記第１の閾値を下回ることに応答して、Ｄ２Ｄ同期化に利用可能な前記リソースにおいて前記Ｄ２Ｄ同期化情報を送信するよう構成される、
請求項１に記載のユーザ装置。
【請求項３】
当該ユーザ装置は、前記専用のＤ２Ｄ構成情報メッセージにおいて前記Ｄ２Ｄ同期化情報伝送に関連した情報を受信し、該Ｄ２Ｄ同期化情報伝送に関連した情報は、当該ユーザ装置が、前記第１のｅＮＢのカバレッジ内にある間、前記Ｄ２Ｄ同期化情報を送信することを許可されるかどうかを設定する第１のインジケータを有する、
請求項１に記載のユーザ装置。
【請求項４】
当該ユーザ装置の前記ＲＲＣ状態は、ＲＲＣ＿ＩＤＬＥ状態及びＲＲＣ＿ＣＯＮＮＥＣＴＥＤ状態のうちの１つを有する、
請求項１に記載のユーザ装置。
【請求項５】
当該ユーザ装置は、
当該ユーザ装置が前記ＲＲＣ＿ＣＯＮＮＥＣＴＥＤ状態にあること、及び
前記第１のインジケータが、当該ユーザ装置に前記Ｄ２Ｄ同期化情報を送信し始めるよう指示する値を有すること
に応答して、前記Ｄ２Ｄ同期化情報を送信し始めるよう構成される、
請求項４に記載のユーザ装置。
【請求項６】
当該ユーザ装置は、前記第１のｅＮＢによって設定された報告基準に基づき１つ以上の測定報告を送信するよう更に構成され、
前記第１のｅＮＢは、前記１つ以上の測定報告に応答して前記第１のインジケータの値を設定する、
請求項５に記載のユーザ装置。
【請求項７】
当該ユーザ装置は、スキャン設定情報に基づき前記報告基準を評価する測定を実施するよう更に構成される、
請求項６に記載のユーザ装置。
【請求項８】
当該ユーザ装置は、
前記第１のｅＮＢのカバレッジ外にある前記１つ以上のＤ２Ｄユーザ装置から少なくとも１つのＤ２Ｄ同期化信号を検出すること、
前記少なくとも１つのＤ２Ｄ同期化情報が前記第１のｅＮＢと同期していないと決定すること、及び
当該ユーザ装置がＲＲＣ＿ＣＯＮＮＥＣＴＥＤ状態にあり、前記Ｄ２Ｄ同期化情報を送信し始めるよう構成されていないこと
を有する報告基準に基づき、前記１つ以上の測定報告を送信するよう構成される、
請求項６に記載のユーザ装置。
【請求項９】
前記報告基準は、
第２の閾値が目下設定されておらず、且つ
前記第１のｅＮＢのＲＳＲＰ、ＰＳＳの強さ、及びＳＳＳの強さのうちの１つ以上の測定結果が前記第１の閾値を下回る
場合に、前記１つ以上の測定報告を送信することを更に含む、
請求項８に記載のユーザ装置。
【請求項１０】
前記専用のＤ２Ｄ構成情報メッセージによって提供される前記Ｄ２Ｄ同期化情報伝送の動作に関連した情報は、第２の閾値を更に含み、
前記報告基準は、前記第１のｅＮＢのＲＳＲＰ、ＰＳＳの強さ、ＳＳＳの信号強さのうちの１つ以上の測定結果が前記第２の閾値を下回る場合に前記１つ以上の測定報告を送信することを更に含む、
請求項８に記載のユーザ装置。
【請求項１１】
前記報告基準は、
前記少なくとも１つの検出されたＤ２Ｄ同期化信号の信号強さが、前記第１のｅＮＢによって設定された第３の閾値を上回ること
を更に含む、請求項１０に記載のユーザ装置。
【請求項１２】
前記１つ以上の測定報告は、
前記Ｄ２Ｄ同期化信号を送信する前記１つ以上のＤ２Ｄユーザ装置のアイデンティティ、
前記Ｄ２Ｄ同期化信号を送信する前記１つ以上のＤ２Ｄユーザ装置の階層レベル、及び
前記Ｄ２Ｄ同期化信号の信号強さ
のうちの１つ以上を有する、請求項６に記載のユーザ装置。
【請求項１３】
当該ユーザ装置がＲＲＣ＿ＣＯＮＮＥＣＴＥＤ状態にある場合のための前記１つ以上のトリガ条件は、
当該ユーザ装置が、当該ユーザ装置が前記Ｄ２Ｄ同期化情報を送信することを許可されていることを示す第１のインジケータについて値により設定されていないこと、
当該ユーザ装置が、前記Ｄ２Ｄ同期化情報を送信する能力があること、
当該ユーザ装置が、前記システム情報メッセージにおいて第１の閾値を受信すること、及び
前記第１のｅＮＢのＲＳＲＰが前記第１の閾値を下回ること
を有する、請求項１に記載のユーザ装置。
【請求項１４】
当該ユーザ装置がＲＲＣ＿ＩＤＬＥ状態にある場合のための前記１つ以上のトリガ条件は、
当該ユーザ装置が、前記Ｄ２Ｄ同期化情報を送信する能力があること、
当該ユーザ装置が、前記システム情報メッセージにおいて第１の閾値を受信すること、及び
前記第１のｅＮＢのＲＳＲＰが前記第１の閾値を下回ること
を有する、請求項１に記載のユーザ装置。
【請求項１５】
前記同期化基準を提供するよう前記Ｄ２Ｄ同期化情報を送信することは、当該ユーザ装置の上位レイヤによってＤ２Ｄデータ通信トリガに応答して送信することを有する、
請求項１に記載のユーザ装置。
【請求項１６】
前記同期化基準を提供するよう前記Ｄ２Ｄ同期化情報を送信することは、Ｄ２Ｄ同期化信号及び物理Ｄ２Ｄ共有チャネル信号のうちの１つ以上を送信することを有する、
請求項１に記載のユーザ装置。
【請求項１７】
第１の無線通信デバイスを有する１つ以上の範囲内無線通信デバイスと同期するよう構成される通信セッションコンポーネントと、
同期が合わない無線通信デバイスの検出を示す前記第１の無線通信デバイスからの報告を受けるよう構成される報告受取コンポーネント、
前記同期が合わない無線通信デバイスよりも高い階層レベルにより同期化ソースとして前記第１の無線通信デバイスを構成する該第１の無線通信デバイスへの信号を送信するよう構成される権能割賦コンポーネントと
を有する基地局。
【請求項１８】
前記報告受取コンポーネントは、前記１つ以上の範囲内無線通信デバイスの中の１つ以上の更なる無線通信デバイスから１つ以上の更なる報告を受けるよう構成される、
請求項１７に記載の基地局。
【請求項１９】
前記同期化ソースとして前記第１の無線通信デバイスを選択すべきかどうかを判定するよう構成される選択コンポーネントを更に有し、
前記権能割賦コンポーネントは、前記同期化ソースとして前記第１の無線通信デバイスを選択するとの決定に応答して、前記同期化ソースとして前記第１の無線通信デバイスを構成する前記信号を送信するよう構成される、
請求項１７に記載の基地局。
【請求項２０】
前記１つ以上の範囲内無線通信デバイスへスキャン設定情報を提供するよう構成されるスキャン設定コンポーネントを更に有する
請求項１７に記載の基地局。
【請求項２１】
前記スキャン設定情報は、当該基地局へ報告をいつ送信すべきかを示す１つ以上の報告要件を有し、該１つ以上の報告要件は、
受信された同期化信号が当該基地局と同期しないとの要件、及び
受信された同期化情報が信号強度閾よりも大きいとの要件
のうちの１つ以上を有する、請求項１９に記載の基地局。
【請求項２２】
前記スキャン設定情報は、当該基地局からの信号がセル信号強度閾を下回ることに応答して前記１つ以上の範囲内無線通信デバイスが同期化信号をスキャンするとの要件を有する、
請求項１９に記載の基地局。
【発明の詳細な説明】
【技術分野】
【０００１】
本開示は、デバイス間通信に関係があり、特に、デバイス間通信のための同期化ソース選択に関係がある。
【０００２】
［関連出願］
本願は、米国特許法第１１９条（ｅ）の定めにより、整理番号Ｐ６７６９５Ｚにより２０１４年５月８日付けで出願された米国特許仮出願第６１／９９０６１５号を基礎とする優先権を主張する。この基礎出願は、その全文を参照により本願に援用される。
【図面の簡単な説明】
【０００３】
【図１Ａ】デバイス間通信のためのカバレッジ外シナリオを例示する概略図である。
【０００４】
【図１Ｂ】デバイス間通信のための部分ネットワークカバレッジシナリオを例示する概略図である。
【０００５】
【図１Ｃ】デバイス間通信のためのカバレッジ内シナリオを例示する概略図である。
【０００６】
【図１Ｄ】デバイス間通信のためのセル間カバレッジシナリオを表す概略図である。
【０００７】
【図２】一実施形態に従って部分カバレッジシナリオにおけるデバイス間同期化を表す略ブロック図である。
【０００８】
【図３】一実施形態に従ってセル間カバレッジシナリオにおけるデバイス間同期化を表す略ブロック図である。
【０００９】
【図４】一実施形態に従って、リアクティブアプローチに従うデバイス間（Ｄ２Ｄ）同期化のための方法を表す略フローチャート図である。
【００１０】
【図５】一実施形態に従って、無線通信デバイスのコンポーネントを表す略ブロック図である。
【００１１】
【図６】一実施形態に従って、基地局のコンポーネントを表す略ブロック図である。
【００１２】
【図７】一実施形態に従って、プロアクティブアプローチに従うＤ２Ｄ同期化のための方法を表す略フローチャート図である。
【００１３】
【図８】一実施形態に従って、プロアクティブアプローチに従うＤ２Ｄ同期化のための他の方法を表す略フローチャート図である。
【００１４】
【図９】一例に従う無線デバイス（例えば、ＵＥ）の図を表す。
【発明を実施するための形態】
【００１５】
本開示の実施形態に従うシステム及び方法の詳細な説明は以下で与えられる。いくつかの実施形態が記載されるが、本開示は、いずれか１つの実施形態に制限されず、代わりに、多数の代案、変更、等価物を包含することが理解されるべきである。加えて、多数の具体的な詳細が、本願で開示されている実施形態の完全な理解を提供するために、以下の記載において示されているが、いくつかの実施形態は、それらの詳細な一部又は全てによらなくても実施されてよい。更には、明りょうさのために、関連する技術で知られている特定の技術項目は、本開示を不必要に不明りょうにしないために、詳細に記載されないことがある。
【００１６】
無線モバイル通信技術は、ノード（例えば、送信局又はトランシーバノード）と無線デバイス（例えば、モバイル通信デバイス）との間でデータを伝送するために様々な標準及びプロトコルを使用する。いくつかの無線デバイスは、ダウンリンク（ＤＬ；downlink）伝送では直交周波数分割多重アクセス（ＯＦＤＭＡ；orthogonal  frequency  division  multiple  access）を、アップリンク（ＵＰ；uplink）伝送ではシングルキャリア周波数分割多重アクセス（ＳＣ−ＦＤＭＡ；single  carrier  frequency  division  multiple  access）を用いて通信する。信号伝送ために直交周波数分割多重化（ＯＦＤＭ；orthogonal  frequency  division  multiplexing）を使用する標準及びプロトコルは、第３世代パートナーシッププロジェクト（３ＧＰＰ；3rd  Generation  Partnership  Project）ロングタームエボリューション（ＬＴＥ；long  term  evolution）リリース８、９及び１０；ＷｉＭＡＸ（登録商標）（Worldwide  interoperability  for  Microwave  Access）として業界団体に広く知られている電気電子技術者協会（ＩＥＥＥ；Institute  of  Electrical  and  Electronics  Engineers）８０２．１６標準（例えば、８０２．１６ｅ、８０２．１６ｍ）；並びにＷｉ−Ｆｉ（登録商標）として業界団体に広く知られているＩＥＥＥ８０２．１１−２０１２標準を含む。
【００１７】
３ＧＰＰ無線アクセスネットワーク（ＲＡＮ；radio  access  network）ＬＴＥシステムにおいて、ノードは、ユーザ装置（ＵＥ；user  equipment）として知られる無線デバイスと通信する、発展型汎用地上無線アクセスネットワーク（Ｅ−ＵＴＲＡＮ；Evolved  Universal  Terrestrial  Radio  Access  Network）ノードＢ（エボルブドノードＢ、エンハンスドノードＢ、ｅノードＢ、又はｅＮＢとも一般に表記される。）と無線ネットワークコントローラ（ＲＮＣ；Radio  Network  Controller）との組み合わせであってよい。ＤＬ伝送は、ノード（例えば、ｅＮＢ）から無線ノード（例えば、ＵＥ）への通信であってよく、ＵＬ伝送は、無線デバイスからノードへの通信であってよい。
【００１８】
近接に基づくアプリケーション及び近接サービス（ＰｒｏＳｅ）は、新興の社会工学のトレンドに相当する。近接に基づく通信は、デバイス・ツー・デバイス（Ｄ２Ｄ）又はピア・ツー・ピアサービス又は通信とも本願では称され、ネットワーク基盤を使用するのではなく移動局間の直接通信を可能にすることによってネットワークスループットを増大させる効果的な方法であり、多種多様な用途を有する。例えば、Ｄ２Ｄは、局所的ソーシャルネットワーク、コンテンツ共有、位置に基づくマーケティング、サービス広告、公の安全なネットワーク、モバイル間アプリケーション、及び他のサービスのために提案されている。Ｄ２Ｄ通信は、コアネットワーク又はＲＡＮに対する負荷を軽減すること、直接的な短い通信経路によりデータレートを増大させること、公の安全な通信経路を提供すること、及び他の機能を提供することというそれらの能力により関心が持たれている。ＬＴＥにおけるＰｒｏＳｅ機能の導入は、３ＧＰＰ産業がこの発展途上の市場にサービスを提供すると同時に、いくつかの公的サービスの差し迫った必要に報いることを可能にする。この併用は、結果として現れるシステムが、可能であれば、公的サービス及び非公的サービスの両方のために使用され得るので、スケールメリットの利点を可能にすることができる。
【００１９】
モバイルデバイス間のそのような直接通信経路を実現する様々な代案がある。一実施形態では、Ｄ２ＤエアインターフェイスＰＣ５（すなわち、Ｄ２Ｄ通信のためのインターフェイス）は、Ｂｌｕｅｔｏｏｔｈ（登録商標）又はＷｉ−Ｆｉのような何らかのタイプの短距離技術によって、あるいは、周波数分割デュプレクス（ＦＤＤ；frequency  division  duplex）システムにおけるＵＬスペクトル及び時分割デュプレクス（ＴＤＤ；time  division  duplex）システムにおけるＵＬサブフレームのような、免許を受けたＬＴＥスペクトルを再利用することによって、実現されてよい。更には、Ｄ２Ｄ通信は、一般に、２つの部分に分割され得る。第１の部分はデバイス検出（device  discovery）であり、これによって、ＵＥは、それらが範囲内にあり且つ／あるいはＤ２Ｄ通信に利用可能であると決定することができる。近接検出は、ネットワーク基盤によって支援されてよく、少なくとも部分的にネットワーク基盤によって実施されてよく、且つ／あるいは、ネットワーク基盤から全く独立して実施されてよい。第２の部分は、ＵＥ間の直接通信（direct  communication）又はＤ２Ｄデータ通信であり、ＵＥ間のＤ２Ｄセッションとともに、ユーザ又はアプリケーションデータの実際の通信を確立するプロセスを含む。Ｄ２Ｄ通信は、モバイルネットワークオペレータ（ＭＮＯ；mobile  network  operator）の連続制御下であってもなくてもよい。例えば、ＵＥは、Ｄ２Ｄ通信に参加するために、ｅＮＢとのアクティブ接続を有する必要がなくてよい。Ｄ２Ｄ通信（すなわち、第２の部分）は、Ｄ２Ｄ検出（すなわち、第１の部分）のサポートなしで独立して、Ｄ２Ｄが可能なＵＥによって実施及び操作され得る。
【００２０】
一般に、３つの異なった配置シナリオは、ネットワーク内カバレッジ、部分ネットワークカバレッジ、及びネットワーク外カバレッジを含め、Ｄ２Ｄ通信のためにサポートされる必要がある。図１Ａは、Ｕ１０２がＵＥ１０４と直接通信しているネットワーク外カバレッジシナリオを表す。ＵＥ１０２、１０４は、ｅＮＢのカバレッジ外にあるか、あるいは、ｅＮＢと直接通信することができない。図１Ｂは、ＵＥ１０６がｅＮＢ１１０のカバレッジ内にあり、いずれのｅＮＢ１１０のカバレッジ内にもないＵＥ１０８と通信している部分ネットワークカバレッジシナリオを表す。図１Ｃは、全てネットワークカバレッジ内にあり、互いとＤ２Ｄ通信を行っている複数のＵＥ１１６〜１２０によるネットワーク内カバレッジシナリオを表す。図１Ｄは、第１のｅＮＢ１１０のカバレッジ内にあるＵＥ１１２が、第２のｅＮＢ１１０のカバレッジ内にあるＵＥ１１４とＤ２Ｄ通信を行っていることを表す。
【００２１】
上記のシナリオの夫々におけるＤ２Ｄ通信に当てはまる共通の本質的問題の１つは、Ｄ２Ｄ  ＵＥが他のＵＥと同期してＤ２Ｄ通信のための時間及び周波数同期化を達成するために如何にして同期化プロトコルを設計するかである。ネットワーク内カバレッジシナリオに関して、同期化プロシージャは、まあまあ容易である。ＬＴＥ  ＲＡＮ１ワーキンググループによる同意に従って、ｅＮＢである同期化ソースは、Ｄ２Ｄ  ＵＥである同期化ソースよりも高い優先順位を有し、従って、カバレッジ内にある全てのＤ２Ｄが可能なＵＥは、サービングセルに接続し、検出されたプライマリ同期化信号（ＰＳＳ；primary  synchronization  signal）又はセカンダリ同期化信号（ＳＳＳ；secondary  synchronization  source）に基づき同期化情報を得る。しかし、状況は、部分ネットワークカバレッジ及びネットワーク外カバレッジシナリオに関してやや複雑になり、同期Ｄ２Ｄ通信の設計目標を達成するようそれらの場合について如何にして同期化プロシージャを設計すべきかは、依然として未解決問題である。
【００２２】
いくつかの実施形態において、本開示は、図１Ｂ及び１Ｄのシナリオのような、ＵＥが異なるカバレッジエリア内にあるシナリオについての同期化問題に対処する。例えば、ＵＥが異なるカバレッジエリア内（すなわち、異なるセル又は１つのＵＥがカバレッジ外）にある場合に、ＵＥは同期していないことがある。一実施形態において、ｅＮＢは、基準信号受信電力（ＲＳＲＰ；reference  signal  received  power）報告に従ってＤ２Ｄ同期化信号（synchronization  signal）（Ｄ２ＤＳＳ）を送信すべきカバレッジ境界エリアにあるＵＥを指定してよい。いくつかの実施形態において、これは、Ｄ２ＤＳＳの不必要な送信に起因して好ましくないことがある。そのような不必要な送信は、ＵＥの電力消費量を増大させるとともに、使用効率又は無線スペクトルリソースを低下させ得る。
【００２３】
本願は、カバレッジ内にある同期化ソースを選択する方法のような、関連するネットワーク及びＵＥの挙動に関する詳細とともに、同期化プロシージャを開示する。図２及び３は、例となる実施形態に従う動作の例を表す。図２は、複数のカバレッジ内ＵＥ２０２〜２０８及び複数のカバレッジ外ＵＥ２１０〜２１２による部分ネットワークシナリオのための同期化プロシージャを表す。ＵＥ２０２、２０４、２１０及び２１２は、Ｄ２Ｄクラスタ２１４の部分として示されている。一実施形態において、ＵＥ２０２は、同期化ソースとして選択され、Ｄ２ＤＳＳ及び物理デバイス・ツー・デバイス共有チャネル（ＰＤ２ＤＳＣＨ；physical  device-to-device  shared  channel）メッセージを同期化情報とともに送信する。ＵＥ２１０及び２１２は、ＵＥ２０２及び２０４並びにｅＮＢ１１０と同期するための同期化情報を受ける。図３は、セル１のカバレッジエリア内にあるＵＥ３０２及び３０４及びセル２のカバレッジエリア内にあるＵＥ３０６、３０８によるセル間Ｄ２Ｄ通信シナリオのための同期化プロシージャを表す。具体的に、ＵＥ３０２は、同期化ソースとして選択されてよく、Ｄ２ＤＳＳ又はＰＤ２ＤＳＣＨを用いてセル１のタイミング情報を伝播する。同様に、ＵＥ３０６は、セル２における同期化ソースとして選択されてよく、Ｄ２ＤＳＳ又はＰＤ２ＤＳＣＨを用いてセル２のタイミング情報を伝播する。
【００２４】
一実施形態において、同期化ソース（例えば、図３のＵＥ３０２及び図２のＵＥ２０２）は、システム情報ブロックＴｙｐｅ１（ＳＩＢ１）メッセージを復号した後に、ネットワークカバレッジの外にあるＵＥ（例えば、ＵＥ２及びＵＥ３）又は近傍セルのそれへＰＤ２ＤＳＣＨを介してｅＮＢ試行のリソースプール構成を転送してもよい。更には、１つの設計目標は、Ｄ２Ｄ通信性能を犠牲にすることなしに同期化ノードの数を最小限にすることを含んでよい。例えば、最小限の数のＳＳノードを有することは、シグナリングオーバーヘッドを減らすとともに、ＵＥの電力消費量を最小限とするために好ましい。一実施形態において、夫々のｅＮＢ１１０は、同期化情報を送信しているＵＥの数を制限するよう、専用のＲＲＣシグナリングを介して同期化ソースとしてＵＥを明示的に設定してよい。他の実施形態では、ＵＥは、３ＧＰＰ標準において又はｅＮＢ１１０によって定義された基準のような、事前設定された基準に基づき、同期化ソースとしていつ動作すべきかを自立的に判断してよい。
【００２５】
本願は、２つの一般的アプローチ、すなわち、リアクティブスキーム及びプロアクティブスキームを提示する。リアクティブスキームでは、ネットワークが、同期化ソースとしてのＵＥの選択及び再選択を制御する。例えば、ネットワーク（すなわち、ｅＮＢ１１０）は、カバレッジ内にあるどのＤ２Ｄ  ＵＥが同期化信号を送信するかを周期的に決定する。一実施形態において、ネットワークカバレッジ内にある１つのＵＥは、ネットワークが自身をＤ２ＤＳＳ伝送のための同期化ソースとして動作するよう設定することを条件付きで要求する。例えば、ＵＥは、ＵＥがキャンプオンしているｅＮＢから発せられていないタイミング情報を含むＤ２ＤＳＳを検出することに応答して、同期化ソースとしての設定を要求してよい。他の例として、ＵＥは、ｅＮＢ−ＵＥインターフェイスを有さず、直接リンクを通じてしか通信することができないＵＥのための同期化ソースとしての設定を要求してよい。将来のＬＴＥリリースでは、ｅＮＢ−ＵＥエアインターフェイスをサポートしないが、Ｗｉ−Ｆｉのような、免許不要のスペクトル、又は３ＧＰＰ  ＬＴＥネットワークのスペクトルのような、免許を受けたスペクトルを介して、Ｄ２ＤインターフェイスのようなＵＥ−ＵＥインターフェイスをサポートする新しいＵＥカテゴリが導入され得る点に留意されたい。この新しいカテゴリのデバイスは、低減された複雑性、低い電力消費量、及び低いコストから恩恵を受けることができる。
【００２６】
リアクティブスキームが使用され得る場合の一例は、独立した同期化ソースの検出である。スキームは、それらの動作のミューティング又はそれらのタイミングとネットワークとのアライメントを含んでよい。独立した同期化ソース（Ｉ−ＳＳ；independent  synchronization  source）の存在は、同期化ソースの周期スキャンを行う他のＤ２Ｄ対応ＵＥ（例えば、ＲＲＣ＿ＩＤＬＥモードにあるＵＥ）によって最初に検出されてよい。一実施形態において、信号スキャンインターバルは、Ｄ２ＤＳＳ周期とスキャン切り替え時間との合計以上である。ｅＮＢタイミングを伝播するＤ２Ｄ対応ＵＥは、適切な規則が定義されている場合に、Ｉ−ＳＳにその非同期動作を中止させることができる。例えば、予め定義された階層レベルを有するゲートウェイ（gateway）同期化ソース（Ｇ−ＳＳ）が検出される場合にＩ−ＳＳがＤ２ＤＳＳ伝送を中止すべき規則が存在してよい。この場合に、カバレッジ内のＵＥ（Ｉ−ＳＳを検出したもの）はＧ−ＳＳになり、ｅＮＢタイミングを用いて周期的にＤ２ＤＳＳを送信して、Ｉ−ＳＳでの同期ソース再選択プロシージャをトリガすることを開始してよい。このリアクティブアプローチは、ＵＥ又はセル固有の時間スキャンインターバルの割り当てを必要とし得る。ネットワーク設定に応じて、ＵＥは、Ｇ−ＳＳの役割を自立的に果たし、予め割り当てられた同期化リソースでのＤ２ＤＳＳ信号の周期伝送を開始してよい。代替的に、ＵＥは、Ｉ−ＳＳ検出をｅＮＢに報告し、ｅＮＢ命令に従ってＤ２ＤＳＳ周期伝送を開始してよい。Ｉ−ＳＳ検出の報告は、例えば、複数のＵＥが同時にＩ−ＳＳを検出する場合に、同じＩ−ＳＳを同じｅＮＢに報告するよう複数のＵＥをトリガし得る点に留意されるべきである。そのような状況を回避するよう、ＵＥ固有の時間スキャンインターバルは、異なるＵＥによる同時のＩ−ＳＳ検出の確率を下げるよう割り当てられてよい。一実施形態において、ｅＮＢは、１つ以上の特定のＵＥがＩ−ＳＳの検出を報告し且つ／あるいは直接通信のためのスケジューリング要求を供給すると、Ｄ２ＤＳＳを送信するよう１つ以上の特定のＵＥ（又は他の送信機）を構成してよい。
【００２７】
図４は、ｅＮＢによって制御されたリアクティブ同期化ソース有効化スキームのための方法４００の通信フローの例を表す。一実施形態において、カバレッジ内のＵＥ４０２及び対応するｅＮＢ１１０は、カバレッジ外のＵＥ４０６をミュートするか又はそれと同期するよう、記載されているように通信し及び／又は動作を実施してよい。カバレッジ外のＵＥ４０６は、別のｅＮＢのカバレッジ内にあるか、他のｅＮＢ又はセルへ接続されていないか、あるいは、ｅＮＢ−ＵＥインターフェイスを用いてｅＮＢと通信することができないＵＥを含んでよい。
【００２８】
方法４００は開始し、期間４０８で、カバレッジ内のＵＥ４０２はｅＮＢ１１０と同期し、ＲＲＣ接続はセットアップされる。例えば、カバレッジ内のＵＥ４０２は、セル探索プロシージャに応答してｅＮＢ１１０との同期を取得してよく、ランダムアクセスプロシージャを実施することでＤ２Ｄ対応ｅＮＢとの無線リソース制御（ＲＲＣ；radio  resource  control）接続を確立してよい。カバレッジ内のＵＥ４０２は、期間４０８に応答して、選択されたセルにキャンプオンされる。
【００２９】
期間４１０で、ｅＮＢは、カバレッジ内のＵＥ４０２へスキャン設定情報を供給する。これは、例えば、カバレッジ内のＵＥ４０２についてのＤ２Ｄ通信機能情報がｅＮＢ１１０へ転送されることに応答して、起こってよい。スキャン設定情報は、いつカバレッジ内のＵＥ４０２が同期化ソースをスキャンすべきか、及び／又はいつ報告がｅＮＢ１１０へ送信されるべきかを示してよい。例えば、スキャン設定情報は、カバレッジ内のＵＥ４０２がＲＲＣ＿ＣＯＮＮＥＣＴＥＤモードにある場合に、カバレッジ内のＵＥ４０２について適用可能であってよい。スキャン設定情報はｅＮＢ１１０によって明示的に示されるものとして図示されているが、スキャン設定情報の部分又は全ては、スキャン設定情報の全て又は部分を明示することが不要であるように標準として組み立てられてよい。
【００３０】
一実施形態において、スキャン設定情報は、スキャン報告を送信するようカバレッジ内のＵＥ４０２をトリガする報告基準を含んでよい。スキャン報告を送信することは、周期的であるか、又は単一のイベントであってよい。イベントによりトリガされる報告基準のための複数の実施形態は本願で与えられる。第１の代案において、複数のサブ条件は、カバレッジ内のＵＥ４０２がスキャン報告を送信するために満足される必要があってよい。第１の条件は、少なくとも１つのＤ２ＤＳＳが検出されることを含んでよい。具体的に、検出されたＤ２ＤＳＳは、ｅＮＢ１１０のカバレッジの外にあるＵＥ（例えば、図２のＵＥ２１０、２１２を参照）によって、又は他のｅＮＢからの同期化情報を中継するＵＥ（例えば、ＵＥ３０２、３０４とは異なるセルカバレッジエリア内にある図３のＵＥ３０６、３０８を参照。）によって、送信される必要があってよい。第２の条件は、検出されたＤ２ＤＳＳのうちの少なくとも１つが、ＵＥがキャンプオンしているネットワークと同期していないことを含んでよい（例えば、検出されたＤ２ＤＳＳとｅＮＢ１１０との間のタイミング差は、予め定義された閾値よりも大きい。）。カバレッジ外のＵＥ４０６によって送信された検出されたＤ２ＤＳＳが、他のカバレッジ内同期化信号マルチホップ転送により、キャンプオンされたｅＮＢ１１０と既に同期している場合に、カバレッジ内のＵＥ４０２が同期化ソースになる状況を回避することが狙いである。第３の条件は、ＲＲＣ＿ＣＯＮＮＥＣＴＥＤモードにあるカバレッジ内のＵＥ４０２が同期化ソースとして既に設定されていないことである。
【００３１】
第２の代案において、第１の代案の上記のサブ条件のうちの１つ以上は要求されてよく、追加の要件も含まれてよい。第２の代案において、追加の要件は、サービングセル（すなわち、ｅＮＢ１１０）についての測定結果がサービングセル信号強度閾のような閾パラメータ以下であることを含んでよい。例えば、セル固有の基準信号（ＣＳＲ；cell  specific  reference  signal）のＲＳＲＰ又はＰＳＳ若しくはＳＳＳの信号強度は、パラメータよりも小さい必要があってよい。一実施形態において、閾値は、カバレッジ内のＵＥ４０２がネットワーク境界の近くだが依然としてネットワークカバレッジ内である場合に同期化ソースとしてのカバレッジ内のＵＥ４０２の選択を制限するよう設定されてよい。一実施形態において、閾パラメータは、ＳＩＢによって設定され得るＲＳＲＰ閾を含んでよい。例えば、閾パラメータは、複数の利用可能な値の中から設定されてよい。例となる値は、−１１５から−６０ｄＢｍの間の値が５ｄＢずつインクリメントされるとして、組｛−∞，−１１５，−１１０，・・・，−６０，＋∞｝デシベル−ミリワット（ｄＢｍ）からの値を含んでよい。
【００３２】
一実施形態に従って、専用のＲＲＣメッセージを通じてＤ２Ｄ同期化ソースとしてｅＮＢによって指示されたカバレッジ内のＵＥ４０２に関して、Ｄ２ＤＳＳリソースにおける夫々のサブフレームにおいて、ＵＥは、サブフレームが、送信スケジューリング割り当て又はＤ２Ｄデータにかかわらずカバレッジ内のＵＥ４０２の観点からセルラー伝送と衝突しない場合に、Ｄ２ＤＳＳを送信すべきである。代替的に、Ｄ２Ｄ同期化ソースになるカバレッジ内のＵＥ４０２に関して、ｅＮＢが、それに同期化ソースになるよう専用シグナリングによって指示しなかった場合に、ＵＥは、サブフレームがカバレッジ内のＵＥ４０２の観点からセルラー伝送と衝突せず、ＵＥがスケジューリング割り当て又はＤ２Ｄデータ周期内でスケジューリング割り当て又はＤ２Ｄデータを送信している場合に、Ｄ２ＤＳＳを送信すべきである。他の条件、例えば、カバレッジ内のＵＥ４０２が適切な機能を備えるかどうか、も要求されてよい。追加の要件は、スケジューリング割り当て又はデータが送信されるスケジューリング割り当て又はＤ２Ｄデータ周期内にサブフレームがあることを含んでよい。追加の要件は、カバレッジ内のＵＥ４０２がＲＲＣ＿ＣＯＮＮＥＣＴＥＤモードにあること及び／又はＵＥがＤ２ＤＳＳと同じ期間内にスケジューリング割り当て又はＤ２Ｄデータを送信していないことを含んでよい。
【００３３】
第３の代案において、第１及び第２の代案の上記のサブ条件のうちの１つ以上は、更なる他の追加の要件に加えて、要求されてよい。具体的に、第２の代案は、検出されたＤ２ＤＳＳの信号強度が閾値よりも少なくとも大きいか又は該閾値と等しいことを要求してよい。例えば、ネットワークカバレッジ内／外のＵＥ又はセル間のＵＥからの少なくとも１つの検出されたＤ２ＤＳＳについてのＲＳＲＰ又は基準信号受信品質（ＲＳＲＱ；reference  signal  received  quality）は、ピア信号品質又はピア信号強度閾を上回ることを要求されるべきである。
【００３４】
一実施形態において、スキャン設定情報は、カバレッジ内のＵＥ４０２が同期化ソースをスキャンすべき場合のための１つ以上のサブ条件を含んでよい。例えば、ネットワーク設定に応じて、カバレッジ内のＵＥ４０２は、予め定義された又はｅＮＢ１１０によって設定されたサブ条件の一部又は全てが満足される場合にスキャンプロシージャをトリガしてよい。例えば、上記の代案のサブ条件のうちの１つ以上は、ｅＮＢ１１０からの信号についての測定されたＲＳＲＰがセル強度閾を上回ることのように、スキャンの前に満足される必要があってよい。一実施形態において、入場（entering）条件は、イベントがトリガされるためにｅＮＢ１１０によって設定された“timeToTrigger”パラメータに対応する存続期間に満足されなければならない。一実施形態において、カバレッジ内のＵＥ４０２は、その速さに応じてtimeToTriggerパラメータを調整する。
【００３５】
一実施形態において、スキャン設定情報は、報告がｅＮＢ１１０へ送信されるための報告フォーマットを示してよい。報告形成情報は、カバレッジ内のＵＥ４０２がスキャン報告に含めるべき量又はパラメータを示してよい。一実施形態において、カバレッジ内のＵＥ４０２は、同期化ソースのアイデンティティ、階層レベル、及び検出されたＤ２ＤＳＳ信号の強さのうちの１つ以上を報告する。他の実施形態に従って、報告フォーマット（報告されるパラメータ又は関連メトリクスのリスト）は、スキャン設定の部分として設定されることに代えて事前設定（指定）されてよい。
【００３６】
期間４０２は、同期化ソースを有効にする様々な動作及び方法を含む。期間４１４で、カバレッジ内のＵＥ４０２は、先に期間４１０に関連して論じられたように、近くにある潜在的なＤ２ＤＳＳを検出するよう同期化ソーススキャン動作を実施し、Ｅ−ＵＴＲＡＮからのスキャン設定情報を適用する。例えば、カバレッジ内のＵＥ４０２は、カバレッジ外のＵＥ４０６を検出してよい。一実施形態において、スキャン設定情報は、通信標準に基づき、又は如何なる他の方法においても、再構成されてよい。カバレッジ内のＵＥ４０２が同期化ソースの存在を検出する場合に、それは、検出された同期化ソースのアイデンティティ、階層レベル、検出されたＤ２ＤＳＳ信号の強さを含むＤ２ＤＳＳからのいくつかの情報項目を取得してよい。ｅＮＢ１１０は、カバレッジ内のＵＥ４０２がＤ２ＤＳＳ信号の存在をスキャンすべきリソース、又はスキャンが行われるべき時間インターバルのような、スキャン実行を簡単にするパラメータを、カバレッジ内のＵＥ４０２に提供してよい。
【００３７】
期間４１６で、カバレッジ内のＵＥ４０２は、スキャン設定情報に関して先に論じられた報告フォーマットによって示される情報を含め、Ｅ−ＵＴＲＡＮ（すなわち、ｅＮＢ１１０）へスキャン報告を転送する。一実施形態において、報告は、受信電力が低下する順序で配置された複数の検出されたＤ２ＤＳＳを含む。例えば、最も強いＤ２ＤＳＳ受信電力を有する同期化セルが最初に含まれてよい。更には、カバレッジ内のＵＥ４０２は、スキャン報告イベントをトリガされた後に多数の周期報告を提供するよう構成されてよい。例えば、このようなイベントによりトリガされる周期報告は、パラメータ“reportAmount”及び“reportInterval”を用いて達成され得る。これらのパラメータは、ｅＮＢ１１０によって事前設定又は設定されてよく、周期報告の数及びそれらの間の期間を夫々指定する。イベントによりトリガされる周期報告が設定される場合に、スキャン報告の数についてのカバレッジ内のＵＥ４０２によるカウントは、新しいＤ２ＤＳＳがエントリ条件を満足するときはいつでもゼロにリセットされてよい。カバレッジ内のＵＥ４０２が周期測定報告を実施するよう構成される場合には、カバレッジ内のＵＥ４０２は、周期報告タイマが満了するとき直ぐに報告を開始してよい。
【００３８】
時間４１８で、ｅＮＢ１１０は、同期化ソースとしてカバレッジ内のＵＥ４０２を有効にする。一実施形態において、ｅＮＢ１１０は、カバレッジ内のＵＥ４０２が同期化ソースとして選択されるとの報告が時間４１６でのスキャン結果報告に従うかどうかを判定する。例えば、ｅＮＢ１１０は、カバレッジ内のＵＥ４０２から、同じ同期化ソースのうちの１つ以上を検出した他のＵＥへの報告における情報を比較し、同期が合わないＵＥと通信するよう最も近くにあるか又は別なふうに最も良く位置しているＵＥを選択してよい。一実施形態において、ｅＮＢ１１０は、カバレッジ内のＵＥ４０２を同期化ソースとして有効にし、Ｄ２ＤＳＳ又はＰＤ２ＤＳＣＨについての伝送電力のようなパラメータを含むＵＥ４０２への専用のＲＲＣシグナリングを送信してよい。一実施形態において、パラメータは、カバレッジ内のＵＥ４０２が、ＵＥがＲＲＣ＿ＣＯＮＮＥＣＴＥＤモードにある場合にＤ２ＤＳＳを送信すべきことを示してよい。一実施形態において、パラメータは、カバレッジ内のＵＥ４０２が、カバレッジ外のＵＥ４０６よりも高い階層レベルを有することを示す。
【００３９】
時間４２０で、カバレッジ内のＵＥ４０２は、カバレッジ外のＵＥ４０６及び／又はＤ２Ｄクラスタ内の他のＵＥへ同期化基準を提供するよう周期的にＤ２ＤＳＳ／ＰＤ２ＤＳＣＨを送信する。カバレッジ内のＵＥ４０２は、ｅＮＢ１１０から同期化基準のためのタイミング情報を得て、それを更に伝播してよい。一実施形態において、カバレッジ外のＵＥ４０６がカバレッジ内のＵＥ４０２からのＤ２ＤＳＳを検出した後、カバレッジ外のＵＥ４０６は、カバレッジ内のＵＥ４０２と同期し、それによりｅＮＢ１１０と同期してよい。一実施形態において、カバレッジ内のＵＥ４０２は、Ｄ２Ｄ通信がカバレッジ内のＵＥ４０２の上位レイヤによってトリガされる場合にのみ、同期化基準としてＤ２ＤＳＳ／ＰＤ２ＤＳＣＨを送信してよい。例えば、アプリケーションレイヤ、ＲＲＣレイヤ、又は他のレイヤは、Ｄ２Ｄ通信が起こるべきであることを示してよく、次いで、Ｄ２ＤＳＳ／ＰＤ２ＤＳＣＨは送信されてよい。一実施形態において、上位レイヤに基づきＤ２ＤＳＳ／ＰＤ２ＤＳＣＨの送信をトリガすることは、カバレッジ内のＵＥ４０２での電力消費を最小限とするのを助けることができる。一実施形態において、カバレッジ内のＵＥ４０２は、専用のＲＲＣシグナリングを通じてｅＮＢによってＤ２Ｄ同期化ソースとして指示された後、ＵＥ４０２の観点からセルラー通信と衝突しないＤ２ＤＳＳ／ＰＤ２ＤＳＣＨリソースにおける各サブフレームにおいて常に同期化基準としてＤ２ＤＳＳ／ＰＤ２ＤＳＣＨを送信してよい。
【００４０】
Ｄ２Ｄ同期化のための他のアプローチは、プロアクティブスキームである。プロアクティブアプローチでは、ネットワークは、ネットワーク近傍又はカバレッジホールにおけるＩ−ＳＳの出現を阻止するために、Ｄ２ＤＳＳ信号を周期的に送信するようＤ２Ｄ対応ＵＥを構成してよい。例えば、ｅＮＢ１１０は、周期的な同期化リソースを割り当てし直し、全てのＤ２Ｄ対応ＵＥを、Ｄ２ＤＳＳ信号を周期的に送信するよう構成してよい。代替的に、ｅＮＢ１１０は、Ｄ２ＤＳＳ信号の自発的送信を開始するよう満足されるべき具体的な条件を設定してよい。例えば、ＲＳＲＰ閾は、ｅＮＢ１１０によって事前設定されるか又は信号により伝えられてよい。それにより、Ｄ２ＤＳＳ（又は、ｅＮＢ１１０の場合には、セル固有の基準信号（ＣＲＳ））の受信電力が閾値を下回る場合に、カバレッジ内のＵＥ４０２は、Ｄ２ＤＳＳ伝送を自立的に開始してよい。ｅＮＢ１１０に対する閾値だけでなく他のＵＥ同期化ソースに対する閾値もｅＮＢ１１０によって設定され、信号により伝えられ得ることが留意されるべきである。
【００４１】
Ｅ−ＵＴＲＡＮ（例えば、ｅＮＢ１１０）は、伝送電力、無線リソース区間、又は同様のもののような、Ｄ２ＤＳＳ構成のための追加のパラメータを更に供給してよい。一実施形態において、Ｄ２ＤＳＳ構成は、少なくともいくつかの環境において、ＲＲＣ＿ＩＤＬＥ状態にあるカバレッジ内のＵＥ４０２が依然として条件付きで同期化ソースとして動作することができるように、システム情報（例えば、ＳＩＢ）においてｅＮＢ１１０によってブロードキャストされ得る。
【００４２】
一実施形態において、次の２つの条件は、カバレッジ内のＵＥ４０２において考慮又は評価されてよい。すなわち、カバレッジ内のＵＥ４０２は、カバレッジ外のＵＥ４０６（例えば、図２を参照）又は他のｅＮＢ（例えば、図３を参照）から発せられた如何なるＤ２ＤＳＳも検出し、そして、Ｅ−ＵＴＲＡＮサービングセル（例えば、ｅＮＢ１１０）からの測定されたＲＳＲＰ又はＰＳＳ／ＳＳＳ信号品質は、設定された閾値を下回る。そのような条件を検出することに応答して、カバレッジ内のＵＥは、自立的に同期化ソースになり、ｅＮＢで発生したタイミングを、ｅＮＢ１１０が設定した時間／周波数リソースにおいてＤ２ＤＳＳを送信することによって転送し始めてよい。同様に、図４に表されているリアクティブアプローチにおいて定義されている他の条件のいずれかも、タイミング情報を自立的に転送すべきかどうか及び／又はいつ転送すべきかを判定するために、カバレッジ内のＵＥ４０２によって考慮されてよい。例えば、カバレッジ内のＵＥ４０２は、検出されたＤ２ＤＳＳとキャンプオンしているｅＮＢ１１０との間のタイミング差及び検出されたＤ２ＤＳＳの信号強さ、又は同様のものに関する情報を考慮してよい。一実施形態において、プロアクティブアプローチは、ＲＲＣ＿ＩＤＬＥモードにあるＵＥが同期化ソースとなることを可能にし、一方、リアクティブアプローチは、ｅＮＢ１１０との要求される通信により、ＵＥがＲＲＣ＿ＩＤＬＥモードにおいて同期化ソースとなることを認めない。
【００４３】
図５は、先に論じられたリアクティブアプローチ及びプロアクティブアプローチのうちの１つ以上に従って動作するよう構成されたＵＥ５００の略ブロック図である。例えば、ＵＥ５００は、図４に関して論じられたカバレッジ内のＵＥ４０２及び／又はカバレッジ外のＵＥ４０６の機能を実装してよい。ＵＥ５００は、通信コンポーネント５０２、同期化コンポーネント５０４、設定コンポーネント５０６、スキャンコンポーネント５０８、報告コンポーネント５１０、アクティベーションコンポーネント５１２、及びタイミング送信コンポーネント５１４を含む。コンポーネント５０２〜５１４は、単なる例として与えられており、全てが全ての実施形態において含まれなくてもよい。コンポーネント５０２〜５１４の夫々は、ＵＥ５００に含まれてよく、あるいは、ＵＥ５００によって実装されてよい。
【００４４】
通信コンポーネント５０２は、基地局及び／又は１つ以上のピアＵＥと通信するよう構成される。例えば、通信コンポーネント５０２は、ボイスサービス及びデータサービスのようなネットワークサービスを得ること、スキャン設定情報のような構成情報を受信すること、又は同様のことのために、ｅＮＢと通信してよい。通信コンポーネント５０２は、Ｄ２Ｄ通信及び近接サービスのために１つ以上のＤ２Ｄ対応ＵＥと通信するよう更に構成されてよい。
【００４５】
同期化コンポーネント５０４は、同期化ソースと同期するよう構成される。例えば、ＵＥ５００がｅＮＢの範囲内にある場合には、同期化コンポーネント５０４は、ｅＮＢから受信されたタイミング情報に基づきｅＮＢと同期してよい。同様に、ＵＥ５００がネットワークカバレッジの外にある場合には、ＵＥ５００は、他のＵＥ又はカバレッジ内のＵＥのような、最も高い検出された階層レベルを有する同期化ソースと同期してよい。
【００４６】
設定コンポーネント５０６は、ｅＮＢ１１０からスキャン設定情報を受信するよう構成される。スキャン設定情報は、リアクティブ又はプロアクティブアプローチに関連して論じられた設定のような、本願で論じられる情報又は設定のいずかを含んでよい。一実施形態において、設定コンポーネント５０６は、ＵＥ５００が同期化ソースをいつスキャンすべきかを示すスキャン設定情報を受信する。例えば、設定コンポーネント５０６は、ＵＥ５００がｅＮＢ１１０のカバレッジ内にある間にｅＮＢ１１０がセル信号強度閾を下回ることに応答してＵＥ５００がＤ２Ｄ同期化ソースをスキャンすべきことを示すセル信号強度閾を受信してよい。一実施形態において、スキャン設定情報は、タイミング情報を含む、Ｄ２ＤＳＳ又はＰＤ２ＤＳＣＨのスキャンのような、同期化ソースをスキャンすべき１つ以上のリソース区間（周波数バンド及び／又はタイミング）を示してよい。
【００４７】
一実施形態において、スキャン設定情報は、１つ以上の報告要件を含んでよい。例えば、報告要件は、ＵＥ５００がいつｅＮＢ１１０へ報告を送るのか、及びどのような情報を報告が含むのかを示してよい。一実施形態において、報告要件は、１つ以上の報告トリガを含んでよい。一実施形態において、報告要件は、検出されたＤ２Ｄ同期化ソースがｅＮＢ１１０と同期していないことを含んでよい。一実施形態において、報告要件は、基地局信号強度のための閾値を含んでよい。一実施形態において、報告要件は、報告がＤ２Ｄ同期化ソースのアイデンティティ、Ｄ２Ｄ同期化ソースの階層レベル、及びＤ２Ｄ同期化ソースから受信された信号の信号強度のうちの１つ以上を含むべきことを示してよい。そのような詳細は、例えば、スキャンの間にＤ２ＤＳＳから導出されてよい。
【００４８】
スキャン設定情報は、ＵＥ５００が同期化ソースとしていつそれ自身を自立的にアクティブにすべきかに関する情報を更に含んでよい。例えば、上記のスキャン又は報告設定のうちの１つ以上は、１つ以上の近くのＤ２Ｄ  ＵＥの受信のためのタイミング情報又は他の同期化情報の送信をトリガするために使用されてよい。一実施形態において、スキャン設定情報は、タイミング情報を有するピア同期化信号を送信するための周期時間又は周波数リソースを含むＤ２Ｄ区間を含む。
【００４９】
スキャンコンポーネント５０８は、Ｄ２Ｄ同期化ソースをスキャンするよう構成される。例えば、スキャンコンポーネント５０８は、ｅＮＢ１１０から受信及び／又は事前設定されたスキャン設定情報に基づき、ＵＥ５００と同期が合っていないピア同期化ソースをスキャンしてよい。一実施形態において、スキャンコンポーネント５０８は、ｅＮＢ１１０からの信号（例えば、ＲＳＲＰ又はＲＳＲＱに基づく。）がセル信号強度閾又はセル品質閾を下回ることに応答してＤ２Ｄ同期化ソースをスキャンするよう構成される。
【００５０】
報告コンポーネント５１０は、同期が合っていない同期化ソースの検出をｅＮＢ１１０へ報告するよう構成される。一実施形態において、報告コンポーネント５１０は、ｅＮＢ１１０から受信されたスキャン設定情報において受信された報告要件に基づきｅＮＢ１１０に報告する。例えば、報告コンポーネント５１０は、１つ以上の報告トリガ条件を評価し、それらの条件が満足される場合にｅＮＢ１１０に報告してよい。一実施形態において、報告コンポーネント５１０は、検出されたＤ２ＤＳＳ又はＰＤ２ＤＳＣＨから導出され得る検出されたＤ２Ｄ同期化ソースに関する詳細を含んでよい。例えば、報告は、同期化ソースのアイデンティティ、同期化ソースの階層レベル、及び同期化ソースから受信された信号の信号強度又は信号品質のうちの１つ以上を含んでよい。
【００５１】
アクティベーションコンポーネント５１２は、Ｄ２Ｄ同期化ソースとしてＵＥ５００をアクティブにするよう構成される。一実施形態において、アクティベーションコンポーネント５１２は、同期化ソースとしてＵＥ５００を有効にするｅＮＢ１１０からの信号を受信することに応答して、同期化ソースとしてＵＥ５００をアクティブにする。一実施形態において、ｅＮＢ１１０からの信号は、階層レベル（例えば、検出された同期化ソースよりも高い階層レベル）、タイミング情報の伝送電力、タイミング情報を送信するタイミング、及び／又はタイミング情報が送信されるべき周波数リソースを含むＵＥ５００についての１つ以上の詳細を含んでよい。
【００５２】
一実施形態において、アクティベーションコンポーネント５１２は、自立的に同期化ソースとしてＵＥ５００をアクティブにする。例えば、アクティベーションコンポーネント５１２は、ＵＥ５００がＤ２ＤＳＳ又はＰＤ２ＤＳＣＨにおいてタイミング情報を送信することをいつ開始すべきかを判定するために１つ以上のトリガ情報を評価してよい。一実施形態において、トリガ条件は、ｅＮＢ１１０から受け取られてよく、あるいは、３ＧＰＰ  ＬＴＥのような通信標準に基づきＵＥ５００によって保持されてよい。例となるトリガ条件は、ｅＮＢ１１０からの信号がセル信号強度閾を下回ること、同期が合っていないＵＥが検出されていること、又は同様のことを含んでよい。一実施形態において、アクティベーションコンポーネント５１２は、ＵＥがアイドルモード（例えば、ＲＲＣ＿ＩＤＬＥ）にある間、同期化ソースとしてＵＥ５００を自立的にアクティブにするよう構成される。
【００５３】
タイミング送信コンポーネント５１４は、同期化基準を提供する信号を送信するよう構成される。一実施形態において、タイミング送信コンポーネント５１４は、ＵＥ５００に、ｅＮＢ１１０から得られたタイミング情報を含むＤ２ＤＳＳ又は物理デバイス・ツー・デバイス共有チャネル信号（ＰＤＳＣＨ）を送信させる。送信された信号は、ＵＥ５００の範囲内にある１つ以上のＵＥに対する同期化基準となってよい。一実施形態において、タイミング送信コンポーネント５１４は、アクティベーションコンポーネントが同期化ソースとして無線通信デバイスを自立的にアクティブにすることに応答して、ピア同期化信号を用いて、ｅＮＢ１１０から発せられたタイミング情報を転送する。一実施形態において、タイミング送信コンポーネント５１４は、ＵＥ５００がＲＲＣ＿ＩＤＬＥモードにある場合にタイミング情報を転送してよい。一実施形態において、タイミング送信コンポーネント５１４は、ＵＥ５００の上位レイヤによるトリガに応答してタイミング情報を送信する。
【００５４】
図６は、先に論じられたリアクティブアプローチ及びプロアクティブアプローチのうちの１つ以上に従って動作するよう構成されたｅＮＢ１１０の略ブロック図である。例えば、ｅＮＢ１１０は、図４のｅＮＢ１１０の機能を実装してよい。ｅＮＢ１１０は、通信セッションコンポーネント６０２、スキャン設定コンポーネント６０４、報告受取コンポーネント６０６、選択コンポーネント６０８、及び権能割賦コンポーネント６１０を含む。コンポーネント６０２〜６１０は、単なる例として与えられており、全てが全ての実施形態に含まれなくてもよい。コンポーネント６０２〜６１０の夫々は、ｅＮＢ１１０に含まれてよく、あるいは、ｅＮＢ１１０によって実装されてよい。
【００５５】
通信セッションコンポーネント６０２は、１つ以上のＵＥと通信し、１つ以上のＵＥとの通信セッションを確立するよう構成される。例えば、通信セッションコンポーネント６０２は、ｅＮＢ１１０の範囲内にあるＵＥと通信して、通信セッションを確立及び維持することが可能であってよい。一実施形態において、通信セッションコンポーネント６０２は、ＵＥとの接続又は通信セッションを確立しながら、ＵＥと同期するよう基準信号又は他のタイミング情報を提供してよい。
【００５６】
スキャン設定コンポーネント６０４は、ｅＮＢ１１０の範囲内にある１つ以上のＵＥへスキャン設定情報を提供してよい。例えば、スキャン設定コンポーネント６０４は、設定コンポーネント５０６に関して先に論じられたスキャン設定情報のような、本願で論じられるスキャン設定情報のいずれかを提供してよい。
【００５７】
報告受取コンポーネント６０６は、報告コンポーネント５１０によって提供される報告のような、ＵＥ５００からのスキャン報告を受けるよう構成される。一実施形態において、報告は、ＵＥ５００によって検出された同期化ソースのアイデンティティ、信号強度、又は階層レベルのような、本願で論じられる報告情報のいずれかを含んでよい。一実施形態において、報告受取コンポーネント６０６は、複数の異なるＵＥから複数の報告を受けるよう構成される。
【００５８】
選択コンポーネント６０８は、ＵＥを同期化ソースとして選択すべきかどうかを判定する。例えば、選択コンポーネント６０８は、報告がＵＥ５００から受け取られた後、ＵＥ５００を選択すべきかどうかを判定してよい。選択コンポーネント６０８は、同じ１つ以上の同期が合っていない同期化ソースを識別するスキャン報告を送信した複数のＵＥの中から１つを選択してよい。例えば、選択コンポーネント６０８は、特定の同期化ソースについて最良の信号強度を有するＵＥを選択してよい。
【００５９】
権能割賦コンポーネント６１０は、信号をＵＥへ送って、それを同期化ソースとして有効にする。例えば、権能割賦コンポーネント６１０は、同期化ソースとしてＵＥ５００を有効にするメッセージを送ってよい。権能割賦コンポーネント６１０は、同期化情報を近くのＤ２Ｄデバイスへ提供するために、階層レベル、伝送電力、又は他の情報のうちの１つ以上を含む、選択されたＵＥへの１つ以上の同期化詳細を提供してよい。
【００６０】
図７は、Ｄ２Ｄ同期化のための例となる方法７００を表す略フローチャート図である。方法７００は、図５のＵＥ５００のような無線通信デバイスによって実施されてよい。
【００６１】
方法７００は開始し、同期化コンポーネント５０４は、ｅＮＢ１１０のような基地局と同期するよう構成される（７０２）。例えば、無線通信デバイスは、基地局への接続及び／又は基地局との通信セッションの確立があると同期してよい（７０２）。
【００６２】
アクティベーションコンポーネント５１２は、１つ以上のトリガ条件に基づき同期化ソースとして無線通信デバイスを自立的にアクティブにする（７０４）。トリガ条件は、スキャン設定情報又はプロアクティブアプローチに関して先に論じられた条件のいずれかを含んでよい。一実施形態において、トリガ条件は基地局から受け取られてよい。他の実施形態では、トリガ条件は、通信標準に基づき無線通信デバイスで事前設定される。
【００６３】
タイミング送信コンポーネント５１４は、基地局から発せられたタイミング情報を、ピア同期化信号を用いて転送する（７０６）。一実施形態において、タイミング送信コンポーネント５１４は、アクティベーションコンポーネント５１２が同期化ソースとして無線通信デバイスを自立的にアクティブにすること（７０４）に応答して、タイミング情報を転送する（７０６）。タイミング送信コンポーネント５１４は、タイミング情報を含むＤ２ＤＳＳ又はＰＤ２ＤＳＣＨを送信してよい。一実施形態において、自立的にアクティブにするステップ７０４及び転送するステップ７０６のうちの１つ以上は、無線通信デバイスがアイドルモードのままである間に起こってよい。
【００６４】
図８は、Ｄ２Ｄ同期化のための例となる方法８００を表す略フローチャート図である。方法８００は、図６のｅＮＢ１１０のような基地局によって実施されてよい。
【００６５】
方法８００は開始し、通信セッションコンポーネント６０２は、ｅＮＢ１１０のカバレッジエリア内にある１つ以上のＵＥと通信し（８０２）、そして、通信セッションコンポーネント６０２は、１つ以上のＵＥと同期する（８０４）。例えば、通信セッションコンポーネント６０２は、ＵＥのための同期化基準としてのタイミング情報を含む１つ以上の信号を送信してよい。
【００６６】
スキャン設定コンポーネント６０４は、同期化信号伝送のための同期化伝送条件を設定するための１つ以上のＵＥへのシグナリングを提供する（８０６）。例えば、スキャン設定情報は、スキャン要件、報告要件、アクティブ化の要件、又は本願で論じられるその他スキャン設定情報のいずれかを含んでよい。一実施形態において、同期化伝送条件は、ｅＮＢのカバレッジ内の１つ以上のＵＥが同期化信号をいつ自立的に送信すべきかを特定する。ＵＥは、次いで、いつそれら自身を同期化ソースとしてアクティブにし、タイミング情報を転送すべきかを判定するよう、同期化伝送条件を自立的に評価してよい。
【００６７】
図９は、ＵＥ、移動局（ＭＳ；mobile  station）、モバイル無線デバイス、モバイル通信デバイス、タブレット、ハンドセット、又は他のタイプのモバイル無線デバイスのような、モバイルデバイスの実例を提供する。モバイルデバイスは、ノード、マクロノード、低電力ノード（ＬＰＮ；low  power  node）、又は送信局（例えば、基地局（ＢＳ；base  station）、ｅＮＢ、ベースバンドユニット（ＢＢＵ；base  band  unit）、リモートレディオヘッド（ＲＲＨ；remote  radio  head）、張り出し無線装置（ＲＲＥ；remote  radio  equipment）、中継局（ＲＳ；relay  station）、無線装置（ＲＥ；radio  equipment）、又は他のタイプの無線広域ネットワーク（ＷＷＡＮ；wireless  wide  area  network）ＡＰ）と通信するよう構成された１つ以上のアンテナを含んでよい。モバイルデバイスは、３ＧＰＰ  ＬＴＥ、ＷｉＭＡＸ、高速パケットアクセス（ＨＳＰＡ；High  Speed  Packet  Access）、Ｂｌｕｅｔｏｏｔｈ、及びＷｉ−Ｆｉを含む、少なくとも１つの無線通信標準を用いて通信するよう構成されてよい。モバイルデバイスは、夫々の無線通信標準のための別個のアンテナ又は複数の無線通信標準のための共有アンテナを用いて通信してよい。モバイルデバイスは、ＷＬＡＮ、無線パーソナルエリアネットワーク（ＷＰＡＮ；wireless  personal  area  network）、及び／又はＷＷＡＮにおいて通信してよい。
【００６８】
図９は、モバイルデバイスから入力及び出力されるオーディオのために使用され得るマイクロホン及び１つ以上のスピーカの実例を更に提供する。表示スクリーンは、液晶表示（ＬＣＤ；liquid  crystal  display）スクリーン又は他のタイプの表示スクリーン（例えば、有機発光ダイオード（ＯＬＥＤ；organic  light  emitting  diode）ディスプレイ）であってよい。表示スクリーンは、タッチスクリーンとして構成されてよい。タッチスクリーンは、容量型、抵抗型、又は他のタイプのタッチスクリーン技術を使用してよい。アプリケーションプロセッサ及びグラフィクスプロセッサは、処理及び表示機能を提供するよう内部メモリへ結合されてよい。不揮発性メモリポートも、データ入力／出力オプションをユーザに提供するために使用されてよい。不揮発性メモリポートは、モバイルデバイスのメモリ機能を拡張するためにも使用されてよい。キーボードは、モバイルデバイスと一体化されるか、あるいは、モバイルデバイスへ無線により接続されてよく、更なるユーザ入力を提供する。仮想キーボードも、タッチスクリーンを用いて提供されてよい。
【００６９】
［例］
以下の例は、更なる実施形態に関連する。
【００７０】
例１は、セル探索を実施し、第１のｅＮＢと同期するよう構成されるＵＥである。ＵＥは、第１のｅＮＢに対応する第１のサービングセルにキャンプオンするよう構成される。ＵＥは、Ｄ２Ｄ同期化情報伝送に関連したＤ２Ｄ情報を取得するよう構成され、このとき、ＵＥは、第１のｅＮＢによって送信された専用のＤ２Ｄ構成情報メッセージ及びシステム情報メッセージのうちの１つ以上においてＤ２Ｄ同期化情報伝送に関連した情報を受信する。ＵＥは、１つ以上のトリガ条件に応答して、第１のｅＮＢのカバレッジ外にある１つ以上のＤ２Ｄ  ＵＥへ同期化基準を提供するＤ２Ｄ同期化情報を送信するよう構成される。１つ以上のトリガ条件は、ＵＥのＲＲＣ状態に基づく。
【００７１】
例２において、例１のＵＥは、専用のＤ２Ｄ構成情報メッセージにおいてＤ２Ｄ同期化情報伝送に関連した情報を受信するよう構成される。Ｄ２Ｄ同期化情報伝送に関連した情報は、Ｄ２Ｄ同期化に利用可能なリソースに関する情報と、第１の閾値とを含む。ＵＥは、第１のｅＮＢについての測定された信号品質又は信号強度が第１の閾値を下回ることに応答して、Ｄ２Ｄ同期化に利用可能な前記リソースにおいてＤ２Ｄ同期化情報を送信するよう構成される。
【００７２】
例３において、例１乃至２のいずれかのＵＥは、専用のＤ２Ｄ構成情報メッセージにおいてＤ２Ｄ同期化情報伝送に関連した情報を受信する。Ｄ２Ｄ同期化情報伝送に関連した情報は、ＵＥが、第１のｅＮＢのカバレッジ内にある間、Ｄ２Ｄ同期化情報を送信することを許可されるかどうかを設定する第１のインジケータを含む。
【００７３】
例４において、例１乃至３のいずれかのＵＥのＲＲＣ状態は、ＲＲＣ＿ＩＤＬＥ状態及びＲＲＣ＿ＣＯＮＮＥＣＴＥＤ状態のうちの１つを含む。
【００７４】
例５において、例１乃至４のいずれかのＵＥは、ＵＥが前記ＲＲＣ＿ＣＯＮＮＥＣＴＥＤ状態にあること、及び第１のインジケータがＵＥにＤ２Ｄ同期化情報を送信し始めるよう指示する値を含むことに応答して、Ｄ２Ｄ同期化情報を送信し始めるよう構成される。
【００７５】
例６において、例１乃至４のいずれかのＵＥは、第１のｅＮＢによって設定された報告基準に基づき１つ以上の測定報告を送信するよう更に構成される。このとき、第１のｅＮＢは、１つ以上の測定報告に応答して第１のインジケータの値を設定する。
【００７６】
例７において、例１乃至６のいずれかのＵＥは、スキャン設定情報に基づき報告基準を評価する測定を実施するよう更に構成される。
【００７７】
例８において、例１乃至７のいずれかのＵＥは、（１）第１のｅＮＢのカバレッジ外にある１つ以上のＤ２Ｄユーザ装置から少なくとも１つのＤ２ＤＳＳを検出すること、（２）少なくとも１つのＤ２Ｄ同期化情報が第１のｅＮＢと同期していないと決定すること、及び（３）ＵＥがＲＲＣ＿ＣＯＮＮＥＣＴＥＤ状態にあり、Ｄ２Ｄ同期化情報を送信し始めるよう構成されていないことを含む報告基準に基づき、１つ以上の測定報告を送信するよう構成される。
【００７８】
例９において、例８における報告基準は、（１）第２の閾値が目下設定されておらず、且つ、（２）第１のｅＮＢのＲＳＲＰ、ＰＳＳの強さ、及びＳＳＳの強さのうちの１つ以上の測定結果が第１の閾値を下回る場合に、１つ以上の測定報告を送信することを更に含む。
【００７９】
例１０において、例８の、専用のＤ２Ｄ構成情報メッセージによって提供されるＤ２Ｄ同期化情報伝送の動作に関連した情報は、第２の閾値を更に含み、報告基準は、第１のｅＮＢのＲＳＲＰ、ＰＳＳの強さ、ＳＳＳの信号強さのうちの１つ以上の測定結果が第２の閾値を下回る場合に１つ以上の測定報告を送信することを更に含む。
【００８０】
例１１において、例１０の報告基準は、少なくとも１つの検出されたＤ２ＤＳＳの信号強さが、第１のｅＮＢによって設定された第３の閾値を上回ることを更に含む。
【００８１】
例１２において、例６乃至１１のいずれかの１つ以上の測定報告は、Ｄ２ＤＳＳを送信する前記１つ以上のＤ２Ｄユーザ装置のアイデンティティ、Ｄ２ＤＳＳを送信する１つ以上のＤ２Ｄユーザ装置の階層レベル、及びＤ２ＤＳＳの信号強さのうちの１つ以上を含む。
【００８２】
例１３において、例１乃至１２のいずれかにおける、ＵＥがＲＲＣ＿ＣＯＮＮＥＣＴＥＤ状態にある場合のための１つ以上のトリガ条件は、ＵＥが、ＵＥがＤ２Ｄ同期化情報を送信することを許可されていることを示す第１のインジケータについて値により設定されていないこと、ＵＥがＤ２Ｄ同期化情報を送信する能力があること、ＵＥがシステム情報メッセージにおいて第１の閾値を受信すること、及び第１のｅＮＢのＲＳＲＰが第１の閾値を下回ることを含む。
【００８３】
例１４において、例１乃至１３のいずれかにおける、ＵＥユーザ装置がＲＲＣ＿ＩＤＬＥ状態にある場合のための１つ以上のトリガ条件は、ＵＥがＤ２Ｄ同期化情報を送信する能力があること、ＵＥがシステム情報メッセージにおいて第１の閾値を受信すること、及び第１のｅＮＢのＲＳＲＰが第１の閾値を下回ることを含む。
【００８４】
例１５において、例１乃至１４のいずれかにおける、同期化基準を提供するようＤ２Ｄ同期化情報を送信することは、ＵＥの上位レイヤによってＤ２Ｄデータ通信トリガに応答して送信することを含む。
【００８５】
例１６において、例１乃至１５のいずれかにおける、同期化基準を提供するようＤ２Ｄ同期化情報を送信することは、Ｄ２ＤＳＳ及びＰＤ２ＤＳＣＨのうちの１つ以上を送信することを含む。
【００８６】
例１７は、通信セッションコンポーネント、報告受取コンポーネント、及び権能割賦コンポーネントを含む基地局である。通信セッションコンポーネントは、第１の無線通信デバイスを有する１つ以上の範囲内無線通信デバイスと同期するよう構成される。報告受取コンポーネントは、同期が合わない無線通信デバイスの検出を示す第１の無線通信デバイスからの報告を受けるよう構成される。権能割賦コンポーネントは、同期が合わない無線通信デバイスよりも高い階層レベルにより同期化ソースとして第１の無線通信デバイスを構成する該第１の無線通信デバイスへの信号を送信するよう構成される。
【００８７】
例１８において、例１７の報告受取コンポーネントは、１つ以上の範囲内無線通信デバイスの中の１つ以上の更なる無線通信デバイスから１つ以上の更なる報告を受けるよう構成される。
【００８８】
例１９において、例１７乃至１８のいずれかの基地局は、同期化ソースとして第１の無線通信デバイスを選択すべきかどうかを判定するよう構成される選択コンポーネントを更に含む。権能割賦コンポーネントは、同期化ソースとして第１の無線通信デバイスを選択するとの決定に応答して、同期化ソースとして第１の無線通信デバイスを構成する信号を送信するよう構成される。
【００８９】
例２０において、例１７乃至１９のいずれかの基地局は、１つ以上の範囲内無線通信デバイスへスキャン設定情報を提供するよう構成されるスキャン設定コンポーネントを更に含む。
【００９０】
例２１において、例１７乃至２０のいずれかのスキャン設定情報は、基地局へ報告をいつ送信すべきかを示す１つ以上の報告要件を含む。１つ以上の報告要件は、受信された同期化信号が基地局と同期しないとの要件、及び受信された同期化情報が信号強度閾よりも大きいとの要件のうちの１つ以上を含む。
【００９１】
例２２において、例１７乃至２１のいずれかにおけるスキャン設定情報は、基地局からの信号がセル信号強度閾を下回ることに応答して１つ以上の範囲内無線通信デバイスが同期化信号をスキャンするとの要件を含む。
【００９２】
例２３は、スキャン設定情報に基づきデバイス・ツー・デバイス同期化ソースをスキャンするよう構成されるＵＥである。ＵＥは、デバイス・ツー・デバイス同期化ソースがスキャン設定情報の１つ以上の報告要件を満足するとの決定に応答して、デバイス・ツー・デバイス同期化ソースの検出をｅＮＢに報告するよう構成される。ＵＥは、同期化ソースとしてＵＥを有効にするｅＮＢからの通信を受け、デバイス・ツー・デバイス同期化ソースを含む１つ以上の範囲内ＵＥへ同期化基準を提供する信号を送信するよう構成される。
【００９３】
例２４において、例２３のＵＥは、ｅＮＢからスキャン設定情報を受信するよう更に構成され、スキャン設定情報は１つ以上の報告要件を含む。
【００９４】
例２５において、例２３乃至２４のいずれかのＵＥは、ｅＮＢと同期するよう更に構成される。
【００９５】
例２６において、例２３乃至２５のいずれかにおける、デバイス・ツー・デバイス同期化ソースが１つ以上の報告要件を満足すると決定することは、デバイス・ツー・デバイス同期化ソースがｅＮＢと同期していないと決定することを含む。
【００９６】
例２７において、例２３乃至２６のいずれかにおけるスキャン設定情報は、セル信号強度閾を含む。ＵＥは、ｅＮＢからの信号がセル信号強度閾を下回ることに応答して、デバイス・ツー・デバイス同期化ソースをスキャンするよう構成される。
【００９７】
例２８において、例２３乃至２７のいずれかにおける、デバイス・ツー・デバイス同期化ソースの検出を報告することは、デバイス・ツー・デバイス同期化ソースのアイデンティティ、デバイス・ツー・デバイス同期化ソースの階層レベル、及びデバイス・ツー・デバイス同期化ソースから受信された信号の信号強度のうちの１つ以上を報告することを含む。
【００９８】
例２９において、例２３乃至２８のいずれかにおける、同期化基準を提供する信号を送信することは、ＵＥの上位レイヤによるトリガに応答して送信することを含む。
【００９９】
例３０において、例２３乃至２９のいずれかにおける、同期化基準を提供する信号を送信することは、デバイス・ツー・デバイス同期化信号及びＰＤＳＣＨのうちの１つ以上を送信することを含む。
【０１００】
例３１は、同期化コンポーネント、アクティベーションコンポーネント、及びタイミング送信コンポーネントを含む無線通信デバイスである。同期化コンポーネントは、基地局と同期するよう構成される。アクティベーションコンポーネントは、１つ以上のトリガ条件に基づき同期化ソースとして無線通信デバイスを自立的にアクティブにするよう構成される。タイミング送信コンポーネントは、アクティベーションコンポーネントが同期化ソースとして無線通信デバイスを自立的にアクティブにすることに応答して、ピア同期化信号を用いて、基地局から発せられたタイミング情報を転送するよう構成される。
【０１０１】
例３２において、例３１の無線通信デバイスは、同期が合わないピア無線通信デバイスをスキャンするよう構成されるスキャンコンポーネントを更に含む。
【０１０２】
例３３において、例３１乃至３２のいずれかにおける１つ以上のトリガ条件は、同期が合わないピア無線通信デバイスの検出を含む。
【０１０３】
例３４において、例３１乃至３３のいずれかにおける１つ以上のトリガ条件は、基地局信号強度閾を含む。アクティベーションコンポーネントは、基地局信号強度閾に満たない基地局からの信号の信号強度を測定することに応答して、無線通信デバイスを自立的にアクティブにするよう構成される。
【０１０４】
例３５において、例３１乃至３４のいずれかの無線通信デバイスは、基地局から１つ以上のトリガ条件を受けるよう構成される設定コンポーネントを更に含む。
【０１０５】
例３６において、例３１乃至３５のいずれかの無線通信デバイスは、タイミング情報を含むピア同期化信号を送信するための周期時間及び周波数リソースを割り当てる基地局からの信号を受信するよう構成される設定コンポーネントを更に含む。
【０１０６】
例３７において、例３１乃至３６のいずれかのアクティベーションコンポーネントの１つ以上は、無線通信デバイスがアイドルモードにある間に、同期化ソースとして無線通信デバイスを自立的にアクティブにするよう構成され、例３１乃至３６のいずれかのタイミング送信コンポーネントは、無線通信デバイスがアイドルモードにある間にタイミング情報を転送するよう構成される。
【０１０７】
例３８は、ｅＮＢのカバレッジエリア内の１つ以上のＵＥと通信するよう構成されるｅＮＢである。ｅＮＢは、カバレッジエリア内の１つ以上のＵＥと同期するよう構成される。ｅＮＢは、同期化信号伝送のための同期化伝送条件を構成する１つ以上のＵＥへのシグナリングを提供するよう構成される。同期化伝送条件は、ｅＮＢのカバレッジエリア内の１つ以上のＵＥが同期化信号を自立的に送信すべき場合を特定する。
【０１０８】
例３９において、例３８の同期化伝送条件は、（１）ｅＮＢの信号品質がセル信号品質閾を下回る場合にカバレッジエリア内の１つ以上のＵＥが同期化信号を自立的に送信すべきことを示すセル信号品質閾、及び（２）同期が合わないＵＥの信号品質のうちの１つ以上を含む。
【０１０９】
例４０において、例３８乃至３９のいずれかのｅＮＢは、１つ以上の全てのＵＥが同期信号を周期的に送信するための周期同期化リソースを割り当てるカバレッジエリア内の１つ以上のＵＥへの信号を送信するよう更に構成される。
【０１１０】
例４１は、ＵＥにおいてセル探索を実施して第１のｅＮＢと同期する方法であって、ＵＥが第１のｅＮＢに対応する第１のサービングセルにキャンプオンする方法である。方法は、Ｄ２Ｄ同期化情報伝送に関連したＤ２Ｄ情報を取得するステップを含み、このとき、ＵＥは、第１のｅＮＢによって送信された専用のＤ２Ｄ構成情報メッセージ及びシステム情報メッセージのうちの１つ以上において、Ｄ２Ｄ同期化情報伝送に関連した情報を受信する。方法は、１つ以上のトリガ条件に応答して、第１のｅＮＢのカバレッジ外にある１つ以上のＤ２Ｄ  ＵＥへ同期化基準を提供するようＤ２Ｄ同期化情報を送信するステップを含む。１つ以上のトリガ条件はＵＥのＲＲＣ状態に基づく。
【０１１１】
例４２において、例４１における、Ｄ２Ｄ同期化情報伝送に関連した情報を受信することは、専用のＤ２Ｄ構成情報メッセージにおいて受信することを含む。Ｄ２Ｄ同期化情報伝送に関連した情報は、Ｄ２Ｄ同期化に利用可能なリソースに関する情報と、第１の閾値とを含む。ＵＥは、第１のｅＮＢについての測定された信号品質又は信号強度が第１の閾値を下回ることに応答して、Ｄ２Ｄ同期化に利用可能なリソースにおいてＤ２Ｄ同期化情報を送信するよう構成される。
【０１１２】
例４３において、例４１乃至４２のいずれにおける、Ｄ２Ｄ同期化情報伝送に関連した情報を受信することは、専用のＤ２Ｄ構成情報メッセージにおいて受信することを含む。Ｄ２Ｄ同期化情報伝送に関連した情報は、ＵＥが、第１のｅＮＢのカバレッジ内にある間、Ｄ２Ｄ同期化情報を送信することを許可されるかどうかを設定する第１のインジケータを含む。
【０１１３】
例４４において、例４３におけるＵＥのＲＲＣ状態は、ＲＲＣ＿ＩＤＬＥ状態及びＲＲＣ＿ＣＯＮＮＥＣＴＥＤ状態のうちの１つを含む。
【０１１４】
例４５において、例４４の方法は、ＵＥがＲＲＣ＿ＣＯＮＮＥＣＴＥＤ状態にあること、及び第１のインジケータがＵＥにＤ２Ｄ同期化情報を送信し始めるよう指示する値を含むことに応答して、Ｄ２Ｄ同期化情報を送信し始めるステップを更に含む。
【０１１５】
例４６において、例４５の方法は、第１のｅＮＢによって設定された報告基準に基づき１つ以上の測定報告を送信するステップを更に含み、第１のｅＮＢは、１つ以上の測定報告に応答して第１のインジケータの値を設定する。
【０１１６】
例４７において、例４６の方法は、スキャン設定情報に基づき前記報告基準を評価する測定を実施するステップを更に含む。
【０１１７】
例４８において、例４３乃至４７のいずれかにおける、１つ以上の測定報告を送信することは、第１のｅＮＢのカバレッジ外にある１つ以上のＤ２Ｄ  ＵＥから少なくとも１つのＤ２ＤＳＳを検出すること、少なくとも１つのＤ２ＤＳＳが第１のｅＮＢと同期していないと決定すること、及びＵＥがＲＲＣ＿ＣＯＮＮＥＣＴＥＤ状態にあり、Ｄ２Ｄ同期化情報を送信し始めるよう構成されていないことを含む報告基準に基づき送信することを含む。
【０１１８】
例４９において、例４３乃至４７のいずれかにおける報告基準は、第２の閾値が目下設定されておらず、且つ、第１のｅＮＢのＲＳＲＰ、ＰＳＳの強さ、及びＳＳＳの強さのうちの１つ以上の測定結果が第１の閾値を下回る場合に、１つ以上の測定報告を送信することを更に含む。
【０１１９】
例５０において、例４３乃至４９のいずれかにおける、専用のＤ２Ｄ構成情報メッセージによって提供されるＤ２Ｄ同期化情報伝送の動作に関連した情報は、第２の閾値を更に含み、報告基準は、第１のｅＮＢのＲＳＲＰ、ＰＳＳの強さ、ＳＳＳの信号強さのうちの１つ以上の測定結果が第２の閾値を下回る場合に１つ以上の測定報告を送信することを更に含む。
【０１２０】
例５１において、例４３乃至４９のいずれかにおける報告基準は、少なくとも１つの検出されたＤ２ＤＳＳの信号強さが、第１のｅＮＢによって設定された第３の閾値を上回ることを更に含む。
【０１２１】
例５２において、例４６乃至５１のいずれかの１つ以上の測定報告は、Ｄ２ＤＳＳを送信する１つ以上のＤ２Ｄユーザ装置のアイデンティティ、Ｄ２ＤＳＳを送信する１つ以上のＤ２Ｄユーザ装置の階層レベル、及びＤ２ＤＳＳの信号強さのうちの１つ以上を含む。
【０１２２】
例５３において、例４１乃至５２のいずれかにおける、ＵＥがＲＲＣ＿ＣＯＮＮＥＣＴＥＤ状態にある場合のための１つ以上のトリガ条件は、ＵＥが、ＵＥがＤ２Ｄ同期化情報を送信することを許可されていることを示す第１のインジケータについて値により設定されていないこと、ＵＥがＤ２Ｄ同期化情報を送信する能力があること、ＵＥがシステム情報メッセージにおいて第１の閾値を受信すること、及び第１のｅＮＢのＲＳＲＰが第１の閾値を下回ることを含む。
【０１２３】
例５４において、例４１乃至４２のいずれかにおける、ＵＥがＲＲＣ＿ＩＤＬＥ状態にある場合のための１つ以上のトリガ条件は、ＵＥがＤ２Ｄ同期化情報を送信する能力があること、ＵＥがシステム情報メッセージにおいて第１の閾値を受信すること、及び第１のｅＮＢのＲＳＲＰが第１の閾値を下回ることを含む。
【０１２４】
例５５において、例４１乃至５４のいずれかにおける、同期化基準を提供するようＤ２Ｄ同期化情報を送信することは、ＵＥの上位レイヤによってＤ２Ｄデータ通信トリガに応答して送信することを含む。
【０１２５】
例５６において、例４１乃至５５のいずれかにおける、同期化基準を提供するようＤ２Ｄ同期化情報を送信することは、Ｄ２ＤＳＳ及びＰＤ２ＤＳＣＨのうちの１つ以上を送信することを含む。
【０１２６】
例５７は、例４１乃至５６のいずれかの方法を実施する手段を含む装置である。
【０１２７】
例５８は、実行される場合に例４１乃至５６のいずれかの方法を実施するか又は例５７の装置を実現するマシン読み出し可能な命令を含むマシン読み出し可能なストレージである。
【０１２８】
様々な技術又はその特定の態様若しくは部分は、フロッピー（登録商標）ディスケット、ＣＤ−ＲＯＭ、ハードドライブ、非一時的なコンピュータ読み出し可能記憶媒体、又は何らかの他のマシン読み出し可能記憶媒体のような有形な媒体において具現されているプログラムコード（又は命令）の形をとってよい。プログラムコードがコンピュータのようなマシンにロードされて該マシンによって実行される場合に、マシンは、様々な技術を実装する装置になる。プログラム可能なコンピュータでのプログラムコード実行の場合に、コンピュータデバイスは、プロセッサと、プロセッサによって読み出し可能な記憶媒体（揮発性及び不揮発性メモリ及び／又は記憶素子を含む。）と、少なくとも１つの入力デバイスと、少なくとも１つの出力デバイスとを含んでよい。揮発性及び不揮発性メモリ及び／又は記憶素子は、ＲＡＭ、ＥＰＲＯＭ、フラッシュドライブ、光学ドライブ、磁気ハードドライブ、又は電気データを記憶するための他の媒体であってよい。ｅＮＢ（又は他の基地局）及びＵＥ（又は他の移動局）は、トランシーバコンポーネント、カウンタコンポーネント、プロセッシングコンポーネント、及び／又はクロックコンポーネント若しくはタイマコンポーネントを更に含んでよい。本願で記載される様々な技術を実装又は利用してよい１つ以上のプログラムは、アプリケーションプログラミングインターフェイス（ＡＰＩ）、再利用可能な制御、及び同様のものを使用してよい。そのようなプログラムは、コンピュータシステムとやり取りするために高水準手続き型又はオブジェクト指向プログラミング言語において実装されてよい。なお、プログラムは、必要に応じて、アセンブリ又はマシン言語において実装されてよい。いずれの場合にも、言語は、コンパイル済み又は解釈済みの言語であり、ハードウェア実装と組み合わされてよい。
【０１２９】
本明細書で記載される機能ユニットの多くは、１つ以上のコンポーネントとして実装されてよいことが理解されるべきである。それは、それらの実施非依存性を特に強調するために使用される語である。例えば、コンポーネントは、カスタムの大規模集積（ＶＬＳＩ；very  large  scale  integration）回路若しくはゲートアレイを有するハードウェア回路、ロジックチップのような市販の半導体、トランジスタ、又は他のディスクリート部品として実装されてよい。コンポーネントは、フィールドプログラマブルゲートアレイ、プログラマブルアレイロジック、プログラムロジックデバイス、又は同様のもののような、プログラム可能なハードウェアデバイスにおいても実装されてよい。
【０１３０】
コンポーネントは、様々なタイプのプロセッサによる実行のためにソフトウェアにおいても実装されてよい。実行可能コードの識別されたコンポーネントは、例えば、コンピュータ命令の１つ以上の物理的又は論理的ブロックを有してよく、それらのブロックは、例えば、オブジェクト、プロシージャ、又はファンクションとして体系化されてよい。それでもなお、識別されたコンポーネントの実行ファイルは、物理的に一緒に位置する必要はなく、別々の場所に記憶されたディスクリート命令を有してよい。ディスクリート命令は、論理的にまとめられる場合に、コンポーネントを有し、コンポーネントの定められた目的を達成する。
【０１３１】
実際に、実行可能コードのコンポーネントは、単一の命令又は多数の命令であってよく、いくつかの異なるコードセグメントにわたって、異なるプログラムの間で、且ついくつかのメモリデバイスにわたって、分散されてさえよい。同様に、動作データは、識別され、コンポーネント内に本願では表されてよく、如何なる適切な形でも具現され、如何なる適切なタイプのデータ構造内でも体系化されてよい。動作データは、単一のデータセットとして収集されてよく、あるいは、少なくとも部分的に、単にシステム又はネットワーク上の電子信号として、存在してよい。コンポーネントは、所望の機能を実行するよう動作可能なエージェントを含め、受動的又は能動的であってよい。
【０１３２】
「例」との本願中の言及は、その例に関連して記載される特定の機構、構造、又は特性が本開示の少なくとも１つの実施形態に含まれることを意味する。よって、本明細書の様々な箇所における「例において」との表現の出現は、必ずしも全てが同じ実施形態に言及しているわけではない。
【０１３３】
本願で使用されるように、複数の項目、構造要素、構成要素、及び／又は材料は、便宜上、共通のリストにおいて提示されてよい。なお、それらのリストは、リストの各員が別個の一意的な要素として個別的に識別されるかのように解釈されるべきである。よって、そのようなリストの個々の要素は、特段示されない限りは、共通のグループにおけるその提示に単に基づき同じリストのいずれかの他の要素と事実上等価なものとして解釈されるべきではない。加えて、本開示の様々な実施形態及び例は、それらの様々なコンポーネントの代案とともに本願において参照されてよい。そのような実施形態、例、及び代案は、互いの事実上の等価物として解釈されるべきではなく、本開示の別個の自立した表現として解釈されるべきであることが理解される。
【０１３４】
上記は、明りょうさのためにいくらか詳細に記載されてきたが、特定の変更及び修正がその原理から逸脱することなしに行われてよいことは明らかである。本願で記載されるプロセス及び装置の両方を実装する多くの代替の方法が存在することが留意されるべきである。然るに、本実施形態は、実例であって制限と見なされるべきではない。
【０１３５】
当業者に明らかなように、多くの変更は、本開示の基礎をなす原理から逸脱することなしに上記の実施形態の詳細に対して行われてよい。本開示の適用範囲は、従って、続く特許請求の範囲によってのみ決定されるべきである。
【図１Ａ】
2017511078.tif 000003
【図１Ｂ】
2017511078.tif 000004
【図１Ｃ】
2017511078.tif 000005
【図１Ｄ】
2017511078.tif 000006
【図２】
2017511078.tif 000007
【図３】
2017511078.tif 000008
【図４】
2017511078.tif 000009
【図５】
2017511078.tif 000010
【図６】
2017511078.tif 000011
【図７】
2017511078.tif 000012
【図８】
2017511078.tif 000013
【図９】
2017511078.tif 000014
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）において使用される装置であって
少なくとも一部分が回路を有する測定ロジックであり、発展型汎用地上無線アクセスネットワーク（Ｅ−ＵＴＲＡＮ）のセルから受信された信号の基準信号受信電力（ＲＳＲＰ）測定を決定する前記測定ロジックと、
少なくとも一部分が回路を有する処理ロジックであり、前記ＵＥが前記Ｅ−ＵＴＲＡＮの前記セルのカバレッジ内にあることを決定し、前記ＵＥを、無線リソース構成（ＲＲＣ）接続状態又はＲＲＣアイドル状態のいずれか一方において検出又は通信のために直接リンク同期化信号（ＳＳ）を送信するよう構成する前記処理ロジックと
を有し、
前記ＵＥを構成するよう、前記処理ロジックは、
信号強度閾値を決定するよう前記Ｅ−ＵＴＲＡＮからのシステム情報ブロック（ＳＩＢ）メッセージを復号し、
前記ＲＳＲＰ測定を前記信号強度閾値と比較し、
前記ＲＳＲＰ測定が前記信号強度閾値を下回るとの決定に応答して、前記直接リンクＳＳのための同期化情報を生成する
よう構成される、装置。
【請求項２】
前記ＵＥを前記直接リンクＳＳを送信するよう構成するよう、前記処理ロジックは、同期化情報を送信するよう前記Ｅ−ＵＴＲＡＮからの専用のシグナリングによって構成されることなしに、同期ソースとして前記ＵＥを自立的にアクティブにするよう構成される、
請求項１に記載の装置。
【請求項３】
同期ソースとして前記ＵＥを自立的にアクティブにするよう、前記処理ロジックは、前記ＵＥを、前記直接リンクＳＳ及び直接リンク情報メッセージの少なくとも１つを周期的に送信するよう構成する、
請求項２に記載の装置。
【請求項４】
前記処理ロジックは、前記Ｅ−ＵＴＲＡＮ及び同期化基準として動作するピアＵＥの少なくとも１つから受信された情報又は信号から前記直接リンクＳＳのための同期化情報を得るよう構成される、
請求項１に記載の装置。
【請求項５】
前記処理ロジックは更に、
直接リンク検出のために使用される周波数でのカバレッジ内に前記ＵＥがあることを決定し、
前記ＵＥを、直接リンク検出のために使用される前記周波数でサブフレームにおいて前記直接リンクＳＳを送信するよう構成する、
請求項１に記載の装置。
【請求項６】
前記処理ロジックは更に、
直接リンク通信のための構成パラメータを有する直接リンク情報メッセージを生成し、
前記ＵＥを、前記直接リンクＳＳと同じサブフレームにおいて、直接リンク検出のために使用される前記周波数で前記直接リンク情報メッセージを送信するよう構成する
請求項５に記載の装置。
【請求項７】
前記処理ロジックは更に、前記サブフレームがアップリンク伝送のために前記ＵＥによって使用されないとの決定に基づき、前記サブフレームを選択する、
請求項５に記載の装置。
【請求項８】
前記処理ロジックは更に、
直接リンク通信のために使用される周波数でのカバレッジ内に前記ＵＥがあることを決定し、
前記ＵＥを、直接リンク通信のために使用される前記周波数でサブフレームにおいて前記直接リンクＳＳを送信するよう構成し、
直接リンク通信のための構成パラメータを有する直接リンク情報メッセージを生成し、
前記ＵＥを、前記直接リンクＳＳと同じサブフレームにおいて、直接リンク通信のために使用される前記周波数で前記直接リンク情報メッセージを送信するよう構成する、
請求項１に記載の装置。
【請求項９】
前記処理ロジックは更に、前記ＵＥが直接リンク制御情報を送信するよう構成される同じ期間内で前記サブフレームを選択する、
請求項８に記載の装置。
【請求項１０】
ユーザ装置（ＵＥ）において使用される装置であって、
発展型汎用地上無線アクセスネットワーク（Ｅ−ＵＴＲＡＮ）ノードＢ（ｅＮＢ）と通信するトランシーバと、
前記トランシーバへ結合される１つ以上のプロセッサと
を有し、
前記１つ以上のプロセッサは、
セル探索を実施し、サービングｅＮＢと同期し、前記ＵＥは、前記サービングｅＮＢに対応するサービングセルにキャンプオンし、前記トランシーバを通じて前記サービングｅＮＢから閾値を受信し、
前記トランシーバを通じて前記サービングｅＮＢから送信された専用の直接リンク構成情報メッセージ及びシステム情報メッセージのうちの１つ以上から直接リンク同期化情報を導出し、
前記ＵＥを、少なくとも２つのトリガ条件のうちのいずれかに応答して、前記トランシーバを通じて前記直接リンク同期化情報を同期化基準信号において、前記サービングｅＮＢのカバレッジ外にある１つ以上の直接通信ユーザ装置へ送信するよう構成し、
前記少なくとも２つのトリガ条件は、
前記ＵＥが無線リソース構成（ＲＲＣ）接続状態にあり、前記サービングｅＮＢから専用のシグナリングによって前記直接リンク同期化情報を送信するよう構成される第１トリガ条件と、
前記ＵＥがＲＲＣ接続状態又はＲＲＣアイドル状態のいずれか一方にあり、前記サービングｅＮＢの基準信号受信電力（ＲＳＲＰ）が前記閾値を下回る第２トリガ条件と
を含む、装置。
【請求項１１】
前記直接リンク同期化情報は、前記システム情報メッセージに含まれ、
前記直接リンク同期化情報は、直接リンク同期化情報送信、直接リンク同期化情報受信、及び前記閾値に利用可能なリソースに関する情報を含み、
前記１つ以上のプロセッサは、前記ＵＥを、前記少なくとも２つのトリガ条件のうちのいずれか１つに応答して、直接リンク同期化情報送信のために使用されるリソースにおいて前記直接リンク同期化情報を送信するよう構成する、
請求項１０に記載の装置。
【請求項１２】
前記１つ以上のプロセッサは、前記サービングｅＮＢによって構成された報告基準に基づき１つ以上の測定報告を生成するよう更に構成される、
請求項１０に記載の装置。
【請求項１３】
前記ＵＥは、スキャン設定情報に基づき前記報告基準を評価する測定を実施するよう更に構成される、
請求項１２に記載の装置。
【請求項１４】
前記１つ以上の測定報告は、
前記直接リンク同期化情報を送信する前記１つ以上の直接通信ＵＥのアイデンティティ、
前記直接リンク同期化情報を送信する前記１つ以上の直接通信ＵＥの階層レベル、及び
前記直接リンク同期化情報の信号強度
のうちの１つ以上を含む、請求項１２に記載の装置。
【請求項１５】
同期化基準を提供するよう前記直接リンク同期化情報を生成することは、前記ＵＥの上層による直接リンクデータ通信トリガに応答する、
請求項１０に記載の装置。
【請求項１６】
前記１つ以上のプロセッサは、前記ＵＥを、直接リンク通信のための構成パラメータを含む直接リンク情報メッセージ及び直接リンク同期化の少なくとも１つの送信によって同期化基準を提供するように前記直接リンク同期化情報を送信するよう更に構成する、
請求項１０に記載の装置。
【請求項１７】
第１のユーザ装置（ＵＥ）で実行される場合に、該第１のＵＥに、
発展型汎用地上無線アクセスネットワーク（Ｅ−ＵＴＲＡＮ）、及び同期化基準として動作する第２のＵＥの少なくとも１つから受信された情報又は信号から同期化情報を導出するステップと、
信号強度閾値を含むシステム情報ブロック（ＳＩＢ）メッセージに応答して、前記第１のＵＥが前記Ｅ−ＵＴＲＡＮのカバレッジ内にあるときに、基準信号受信電力（ＲＳＲＰ）が前記信号強度閾値を下回ることを決定するステップと、
前記ＲＳＲＰが前記信号強度閾値を下回ることに応答して、ＵＥ間直接通信のための同期ソースとして前記第１のＵＥを構成するステップと
を実施させるコンピュータ可読命令を有するコンピュータプログラム。
【請求項１８】
前記コンピュータ可読命令は更に、
前記ＵＥ間直接通信の検出のために使用される周波数でのカバレッジ内に前記第１のＵＥがあることを決定し、
前記第１のＵＥを、前記ＵＥ間直接通信の検出のために使用される前記周波数でサブフレームにおいて同期化信号を送信するよう構成する、
請求項１７に記載のコンピュータプログラム。
【請求項１９】
前記コンピュータ可読命令は更に、
前記ＵＥ間直接通信のための構成パラメータを含む情報メッセージを生成し、
前記第１のＵＥを、前記同期化信号と同じサブフレームにおいて、前記ＵＥ間直接通信の検出のために使用される前記周波数で前記情報メッセージを送信するよう構成する、
請求項１８に記載のコンピュータプログラム。
【請求項２０】
前記コンピュータ可読命令は更に、前記サブフレームがアップリンク伝送のために前記第１のＵＥによって使用されないとの決定に基づき、前記サブフレームを選択する、
請求項１８に記載のコンピュータプログラム。
【請求項２１】
前記コンピュータ可読命令は更に、
前記ＵＥ間直接通信のために使用される周波数でのカバレッジ内に前記第１のＵＥがあることを決定し、
前記第１のＵＥを、前記ＵＥ間直接通信のために使用される前記周波数でサブフレームにおいて同期化信号を送信するよう構成し、
前記ＵＥ間直接通信のための構成パラメータを含む情報メッセージを生成し、
前記第１のＵＥを、前記同期化信号と同じサブフレームにおいて、前記ＵＥ間直接通信のために使用される前記周波数で前記情報メッセージを送信するよう構成する、
請求項１７に記載のコンピュータプログラム。
【請求項２２】
前記コンピュータ可読命令は更に、前記第１のＵＥがＵＥ間制御情報を送信するよう構成される同じ期間内で前記サブフレームを選択する、
請求項２１に記載のコンピュータプログラム。
【請求項２３】
請求項１７乃至２２のうちいずれか一項に記載のコンピュータプログラムを記憶しているコンピュータ可読記憶媒体。
【国際調査報告】
2017511078.tif 000015
2017511078.tif 000016
2017511078.tif 000017